(57)【要約】【課題】従来の電子カメラやカメラ付き携帯電話装置は、一つのカメラで一つの画像を撮影しているので、自身の顔を撮影するときには、電子カメラ等を裏返さなければならない。【解決手段】本発明の電子カメラおよびカメラ付き携帯電話装置は、ヒンジを有する第一の筐体に第二の筐体を開閉自在に支承して、第二の筐体を閉じた状態で露出している第一の筐体と第二の筐体の表面にそれぞれ電子カメラを一つずつ設けるとともに、撮影するカメラを選択する手段を設けている。このことにより、カメラ付き携帯電話装置を手に持ったまま、第一のカメラで自分の顔を撮影したり、第二のカメラで自分が見ている風景を撮影したり、両者を同時に撮影することができる。また、第二の筐体を開いて、二つの電子カメラで異なる被写体を同時に撮影したり、合成写真を撮影したりできる。【選択図】  図１
2004180107.tif 000002
【特許請求の範囲】
【請求項１】
ヒンジを有する第一の筐体と、
前記ヒンジにより前記第一の筐体に対して開閉自在に支承した第二の筐体と、
前記第一の筐体に対して前記第二の筐体が閉じた状態で露出している前記第一の筐体の表面に設けた第一のカメラと、
同じく前記第二の筐体が閉じた状態で露出している前記第二の筐体の表面に設けた第二のカメラと、
前記第一のカメラと前記第二のカメラの撮影動作を制御する制御手段と、
撮影するカメラを選択するカメラ選択手段と、
モニター手段と、
画像記憶手段と、
撮影スイッチ手段と、を有し、
前記カメラ選択手段により撮影するカメラを選択して撮影するように構成した電子カメラ。
【請求項２】
前記カメラ選択手段により前記第一のカメラと前記第二のカメラの両方を選択し、前記第一のカメラと前記第二のカメラの両方で同時に撮影するように構成した請求項１に記載の電子カメラ。
【請求項３】
前記構成に加え、前記第一のカメラと前記第二のカメラで撮影した画像を合成する画像合成手段を更に有し、前記第一のカメラと前記第二のカメラで撮影した画像を合成した合成画像を撮影するように構成した請求項１または請求項２に記載の電子カメラ。
【請求項４】
前記モニター手段の一つの画面を第一の表示領域と第二の表示領域に分割して、前記第一の表示領域に前記第一のカメラで撮影した画像の全部又は一部を表示し、前記第二の表示領域に前記第二のカメラで撮影した画像の全部又は一部を表示して、前記モニター手段に表示している前記第一のカメラと前記第二のカメラで撮影した画像を合成画像として撮影するようにした請求項３に記載の電子カメラ。
【請求項５】
前記モニター手段を第一のモニター手段と第二のモニター手段とで構成し、前記第一のモニター手段と前記第二のモニター手段を前記第一の筐体あるいは第二の筐体のどちらか一方の表面と裏面に設け、
前記第一のカメラまたは前記第二のカメラで撮影した画像を前記モニター手段の前記第一のモニター手段または前記第二のモニター手段に表示するように構成した請求項１から請求項４のいずれかに記載の電子カメラ。
【請求項６】
前記第一のカメラまたは前記第二のカメラで動画像を撮影し、前記画像記憶手段に動画像を記憶するようにした請求項１から請求項５のいずれかに記載の電子カメラ。
【請求項７】
請求項１から請求項６のいずれかに記載の電子カメラを搭載した電子カメラ付き携帯電話装置。
【発明の詳細な説明】
【０００１】
【発明の属する技術分野】
本発明は、電子カメラおよび電子カメラ付き携帯電話装置に関する。
【０００２】
【従来の技術】
ＣＣＤで撮像したデイジタル画像情報を処理する電子カメラの小型化が進み、電子カメラを携帯電話装置に搭載して使用者の顔を撮影したり、付近の風景を撮影したりできるようにしたいわゆる電子カメラ付き携帯電話装置（以下、カメラ付き携帯電話装置と略す）が実用化されている。なお、カメラ付き携帯電話装置に搭載した一つのカメラで、手前側と向こう側の両方を撮影するためにカメラを回転させたり、着脱式にして向きを変えたりする方法が知られているが（例えば、特許文献１参照）、最近では、図１４と図１５に示すように、開閉する筐体の外側の表面に一つのカメラを搭載し、開閉する筐体を閉じた状態で手前側にある使用者の顔を撮影し、開閉する筐体を開いた状態で、向こう側である使用者の顔と反対側の画像を撮影できるようにしたカメラ付き携帯電話装置が実用化されている。
【０００３】
図１４は、カメラ付き携帯電話装置２０の開閉する筐体を開いた状態の外観図であり、カメラ２４は向こう側を向いている。図１５は、カメラ付き携帯電話装置２０の開閉する筐体を閉じた状態の外観図であり、カメラ２４は手前側を向いている。図１４でカメラ付き携帯電話装置２０は、ヒンジ部２１のある第一の筐体２２に、第二の筐体２３を開閉自在に支承している。第一の筐体２２と第二の筐体２３の内側には、受話部であるレシーバー２２３と送話部であるマイクロフォン２２４と電話番号等をキー入力するキー操作部２１７と第一のモニター手段２５を設けている。通話時は第二の筐体２３を開いて使用する。
【０００４】
図１５に示すように、カメラ付き携帯電話装置２０では、第二の筐体２３が閉じた状態で露出している第二の筐体２３の表面にカメラ２４を搭載し、第二のモニター手段２７をカメラ２４と同じ面に設けている。第一の筐体２２の側面には、カメラモードの動作を開始させるカメラモード開始スイッチ２６を設けている。なお、ここでカメラモードとは、撮像手段であるカメラ２４に電源を投入し、カメラ２４で取り込んだ画像信号を図示しない筐体内部の画像処理手段に送り、第一のモニター手段２５または第二のモニター手段２７にモニター画像を表示し、撮影スイッチ手段が押されたときには、撮影した画像を同じく図示しないメモリーに記憶し、記憶した画像を第一のモニター手段２５または第二のモニター手段２７に表示するという動作モードである。撮影スイッチ手段は、前記のカメラモード開始スイッチ２６を、一度、長押ししてカメラモードを動作させてから、再び押すことで撮影スイッチ手段として機能するようにしている。
【０００５】
カメラ付き携帯電話装置２０の使用者（撮影者）は、上記カメラ付き携帯電話装置２０を第二の筐体２３を閉じたまま手に持ち、カメラモード開始スイッチ２６を押してカメラモードを動作させ、カメラがとらえている自分の顔を第二のモニター表示手段２７に表示させて、撮影スイッチ手段を押して自分の顔を撮影することができる。使用者の顔と反対側の画像を撮影するときには、第二の筐体２３を開き、同様にカメラモードを動作させて、カメラ２４がとらえている使用者の顔と反対側の画像を、第二の筐体２３の内側の第一のモニター表示手段２５に表示させ、撮影スイッチ手段を押して、使用者の顔と反対側の画像を撮影することができる。
【０００６】
【特許文献１】
特開２００１−２４５０３４号公報（第３−４頁、第１図）
【０００７】
【発明が解決しようとする課題】
従来の一般的な電子カメラは、単一の筐体の一つの面にカメラを設け、カメラの反対側の面にモニター画面を設けている。撮影する時は、被写体にカメラを向け、カメラの反対側のモニター画面を使用者（撮影者）が見て撮影スイッチ手段を押す構造にしている。そのため、電子カメラを手で持って使用者自身の顔を撮影するときには、電子カメラを裏返して操作する。この場合、使用者自身が被写体になるのでカメラの反対側にあるモニター画面を使用者が見ることが出来ない。
【０００８】
前述の図１４と図１５に示したカメラ付き携帯電話装置２０は、開閉する第二の筐体２３の外側にカメラ２４を設け、開閉する第二の筐体２３の表面と裏面にそれぞれ第一のモニター手段２５と、第二のモニター手段２７を設けたことによって、第二の筐体２３を閉じた状態でカメラ２４でとらえた使用者自身の顔を第二のモニター手段２７に表示して撮影し、第二の筐体２３を開いた状態で第一のモニター表示手段２５にカメラ２４でとらえた使用者の顔と反対側の画像をモニター表示して撮影できるようにしたという点は改良されているが、第二の筐体２３を閉じたまま撮影できるのは、第二のモニター手段２７を見ている使用者の顔側（手前側）の画像だけである。第二の筐体２３を閉じたまま使用者の顔と反対側（向こう側）の画像を撮影することはできない。
【０００９】
また、第二の筐体２３を開けて使用者の顔と反対側（向こう側）の画像を撮影するとしても、カメラ付き携帯電話装置２０を取り出して（操作１）、第二の筐体２３を開いて（操作２）、カメラモードにして（操作３）、被写体にカメラを向けて（操作４）、撮影する（操作５）という一連の操作が必要である。手で持っている筐体は第一の筐体２２であり、カメラ２４が搭載されているのは第一の筐体２２のヒンジの先に所定の角度でついている第二の筐体２３であるため、カメラ２４の向きを正確に被写体に合わせるには、第一のモニター表示手段２５をよく見る必要がある。予め、閉じた状態でカメラモードの動作を開始して、第二の筐体２３が開いたら、第二の筐体２３の内側にある第一のモニター手段２５にモニター画像を自動的に表示させて、撮影スイッチ手段を押して撮影するというようにしたとしても、第二の筐体２３を開けてからモニター画像を見て、カメラの向きを決めるというのでは、一瞬のシャッターチャンスを狙って撮影するときには使いにくい。
【００１０】
本発明は、電子カメラあるいはカメラ付き携帯電話装置を手で持った状態で、裏返すことなく、一つのモニター画面を見たまま、使用者の顔側（手前側）の画像と使用者の顔と反対側（向こう側）の画像を選択して撮影できるようにした電子カメラおよびカメラ付き携帯電話装置を提供することを第一の目的としている。
【００１１】
また本発明は、複数のカメラを用いて撮影できるようにした電子カメラおよびカメラ付き携帯電話装置を提供することを第二の目的としている。
【００１２】
さらに本発明は、複数のカメラを用いて撮影した複数の画像を合成して、一つの合成画像として撮影できるようにした電子カメラおよびカメラ付き携帯電話装置を提供することを第三の目的としている。
【００１３】
【課題を解決するための手段】
本発明は、前記第一の課題を解決するために、第一の筐体に対して第二の筐体を開閉自在に支承し、折り畳んだ状態で露出している第一の筐体の表面と第二の筐体の表面にそれぞれカメラを一つずつ設け、撮影するカメラを選択して撮影するようにしている。
【００１４】
上記構成を採ることにより、電子カメラあるいはカメラ付き携帯電話装置を手で持った状態で、裏返すことなく、使用者の顔側の画像と使用者の顔と反対側の画像を選択的に撮影することができる。
【００１５】
また、本発明は、前記第二の課題を解決するために、第一の筐体上の第一のカメラと第二の筐体上の第二のカメラのどちらか一方を選択して撮影したり、または両方を選択して、順次または同時に撮影したりできるようにしている。
【００１６】
このことにより、電子カメラあるいはカメラ付き携帯電話装置を手で持った状態で、使用者の顔側の画像と使用者の顔と反対側の画像のどちらか一方または両方を、順次または同時に撮影することができる。
【００１７】
また、本発明は、前記第三の課題を解決するために、第一のカメラと第二のカメラで撮影した画像を合成する画像合成手段を更に有し、第一のカメラと第二のカメラで撮影した画像を合成した合成画像を撮影するように構成している。
【００１８】
このことにより、使用者の顔側の画像と使用者の顔と反対側の画像を一つの画像に合成した合成写真を得ることができる。
【００１９】
【発明の実施の形態】
本発明の電子カメラは、ヒンジを有する第一の筐体と、ヒンジにより第一の筐体に対して開閉自在に支承した第二の筐体と、第一の筐体に対して第二の筐体が閉じた状態で露出している第一の筐体の表面に設けた第一のカメラと、同じく第二の筐体が閉じた状態で露出している第二の筐体の表面に設けた第二のカメラと、第一のカメラと第二のカメラの撮影動作を制御する制御手段と、撮影するカメラを選択するカメラ選択手段と、モニター手段と、画像記憶手段と、撮影スイッチ手段とを有し、カメラ選択手段により撮影するカメラを選択して撮影する構成を採る。
【００２０】
この構成により、電子カメラを手で持った状態で、裏返すことなく、使用者の顔側の画像と使用者の顔と反対側の画像を選択的に撮影することができる。
【００２１】
また、本発明の電子カメラは、カメラ選択手段により第一のカメラと第二のカメラの両方を選択し、第一のカメラと第二のカメラの両方で同時に撮影する構成を採る。
【００２２】
この構成により、電子カメラを手で持った状態で、使用者の顔側の画像と使用者の顔と反対側の画像を同時に撮影することができる。また、第二の筐体を開いて、第一のカメラと第二のカメラで異なる被写体を同時に撮影することができる。
【００２３】
また、本発明の電子カメラでは、前記構成に加え、第一のカメラと第二のカメラで撮影した画像を合成する画像合成手段を更に有し、第一のカメラと第二のカメラで撮影した画像を合成した合成画像を撮影する構成を採る。
【００２４】
この構成により、使用者の顔側の画像と使用者の顔と反対側の画像を一つの画像にした合成写真を得ることができる。そして、第二の筐体を開いて、第一のカメラと第二のカメラで隣接する風景を同時に撮影することができるので、いわゆるパノラマ写真を撮ることができる。
【００２５】
また、本発明の電子カメラでは、モニター手段の一つの画面を第一の表示領域と第二の表示領域に分割して、第一の表示領域に第一のカメラで撮影した画像の全部又は一部を表示し、第二の表示領域に第二のカメラで撮影した画像の全部又は一部を表示して、モニター手段に表示している第一のカメラと第二のカメラで撮影した画像を合成画像として撮影する構成を採る。
【００２６】
この構成により、第一のカメラで撮影した画像の全部又は一部を第一の表示領域に表示し、第二のカメラで撮影した画像の全部又は一部を第二の表示領域に表示して撮影することができる。
【００２７】
また、本発明の電子カメラでは、モニター手段を第一のモニター手段と第二のモニター手段とで構成し、第一のモニター手段と第二のモニター手段を第一の筐体あるいは第二の筐体のどちらか一方の表面と裏面に設け、第一のカメラまたは第二のカメラで撮影した画像をモニター手段の第一のモニター手段または第二のモニター手段に表示するようにした構成を採る。
【００２８】
この構成により、第一のカメラまたは第二のカメラで撮影した画像をモニター手段の第一のモニター手段または第二のモニター手段で見ることができる。
【００２９】
また、本発明の電子カメラでは、第一のカメラまたは第二のカメラで動画像を撮影し、画像記憶手段に動画像を記憶する構成を採る。
【００３０】
この構成により、電子カメラを手で持った状態で、裏返すことなく、使用者の顔側の動画像または使用者の顔と反対側の動画像を撮影することができる。
【００３１】
更に、本発明のカメラ付き携帯電話装置では、上記のいずれかの電子カメラを搭載したカメラ付き携帯電話装置とした構成を採る。
【００３２】
この構成により、カメラ付き携帯電話装置を手で持った状態で、裏返すことなく、使用者の顔側の画像と使用者の顔と反対側の画像を撮影することができる。
【００３３】
（実施の形態１）
図１に本発明の第１の実施の形態に係るカメラ付き携帯電話装置１００の概略断面図を示す。カメラ付き携帯電話装置１００は、底面に第一のカメラ２８を有する第一の筐体２２から延びているアームの先のヒンジ２１に、第二の筐体２３を開閉自在に支承している。第一の筐体２２には、カメラ付き携帯電話装置１００の本体基板２１５を設けている。本体基板２１５には、全体制御手段１８、メモリー１９、無線部２２０の各回路やキー操作部２１７、マイクロフォン２２４、開閉検出手段２２１を実装し、第一のカメラ２８を本体基板２１５に接続している。
【００３４】
第二の筐体２３には、外側に第二のカメラ２９と第二のモニター手段２７を設け、内側に開閉検出用の磁石２２２と、レシーバー２２３と、第一のモニター手段２５を設けている。第一のモニター手段２５と第二のモニター手段２７の間には、モニター手段の照明用のバックライト９を取り付けている。なお、第一のモニター手段２５と第二のモニター手段２７は接続用フレキシブル基板３で接続し、共通のドライバー回路４で駆動している。第一のモニター手段２５と、バックライト９と、レシーバー２２３と、第二のカメラ２９は、一部図示していないが、先端が分岐した制御用フレキシブル基板２１６にそれぞれ接続されており、制御用フレキシブル基板２１６の他端は第一の筐体２２内の本体基板２１５に接続している。
【００３５】
図２に上記本発明の第１の形態に係るカメラ付き携帯電話装置１００の概略ブロック図を示す。図２で全体制御手段１８は、カメラ付き携帯電話装置１００の全体的な動作を制御する。全体制御手段１８は全透過型の液晶表示装置である第一のモニター手段２５用のバックライト９、開閉検出手段２２１、キー操作部２１７、無線通信を行う無線部２２０，撮影用のフレームやマーカースタンプ用の記号、文字などの画像情報を記憶したメモリー１９、受話用のレシーバー２２３、送話用のマイクロフォン２２４と接続している。
【００３６】
そして、全体制御手段１８には、第一のカメラ２８と第二のカメラ２９の撮影動作を制御するカメラモード制御手段５０を接続している。カメラモード制御手段５０の中には、カメラ切替手段５１を設けて、後述するキー操作部２１７のカメラ切り替えスイッチ５２の入力により、撮影を行なうカメラとして選択されたカメラについてカメラモードの動作をさせるように制御している。すなわち、カメラモード制御手段５０は全体制御手段１８によるカメラ付き携帯電話装置１００の全体的な制御の下、キー操作部２１７からカメラモード開始信号が入力され、カメラ切り替えスイッチ５２の入力がされると、カメラ切替手段５１により、撮影に使用するカメラに図示しない充電電池等の電源手段から電源を投入し、撮像した画像処理を行う。
【００３７】
カメラモード制御手段５０には、ドライバー回路４を接続して、その先に第一のモニター手段２５と第二のモニター手段２７を接続している。ドライバー回路４には表示する画像情報を一時記憶するメモリー部４１と表示切替部４２を設けている。表示切替部４２は、後述する第一のカメラ用メモリー６１、第二のカメラ用メモリー６２、あるいは合成写真用メモリー６３から読み出してメモリー部４１に記憶させた画像情報を第一のモニター手段２５に表示させるか、第二のモニター手段２７に表示させるか、それとも両方に同時に表示させるかを切り替える。なお図２では第一のモニター手段２５と第二のモニター手段２７を一つのドライバー回路４で駆動しているが、第一のモニター手段２５用と第二のモニター手段２７用にそれぞれのドライバー回路を設けて駆動するようにしてもよい。
【００３８】
キー操作部２１７の撮影スイッチ手段が押されると、撮影した画像情報を第一のカメラ用メモリー６１か、第ニのカメラ用メモリー６２か、合成写真用メモリー６３に記憶し、記憶した画像を第一のモニター手段２５か第二のモニター手段２７モニター表示する。
【００３９】
なお、カメラモード制御手段５０は、第一のカメラ２８と第二のカメラ２９の撮影動作を制御するだけでなく、第一のカメラ用メモリー６１と第二のカメラ用メモリー６２に記憶させた画像情報を組み合わせて合成写真画像情報を作成し、合成写真用メモリー６３に記憶し、読み出す制御も行なう。また全体制御手段１８による制御の下、メモリー１９からフレームやマーカースタンプ用の記号等を読み出して撮影した画像に重ね書きする制御も行なう。なお、第一のカメラ用メモリー６１、第二のカメラ用メモリー６２、および合成写真用メモリー６３は、図１に図示していないが、メモリー１９と同じく本体基板２１５上に設けてもよいし、第二の筐体２３内の第二のカメラ２９の近くに配置してもよい。
【００４０】
図３に、本発明の第１の形態に係るカメラ付き携帯電話装置１００の使用状態の概念図を示し、図４に、カメラ付き携帯電話装置１００の外観図を示す。図３で、カメラ付き携帯電話装置１００の使用者であるＡさん３０は、カメラ付き携帯電話装置１００を折り畳んだまま、第一の筐体２２の側面に設けたカメラモード開始スイッチ２６を２秒間、長押ししてカメラモードの動作を開始させる。次にカメラモード開始スイッチ２６の隣に設けたカメラ切り替えスイッチ５２を操作して装置内部のカメラ切替手段５１により、第二の筐体２３の表面に設けた第二のカメラ２９を選択して動作させ、第二の筐体２３の第二のカメラ２９と同じ面にある第二のモニター手段２７にモニター表示される自分の顔を見て、カメラモードの動作中に再び押すことによって撮影スイッチ手段として機能するカメラモード開始スイッチ２６を押して、自分の顔を撮影することができる。
【００４１】
そしてＡさん３０が、カメラ付き携帯電話装置１００を手で持ったまま、第一の筐体２２の側面にある前述のカメラ切り替えスイッチ５２を用いて、撮影するカメラとして第一の筐体２２にある第一のカメラ２８を選択すれば、第一のカメラ２８でとらえた遠方の山の風景が、先ほど自分の顔をモニター表示していた第二のモニター手段２７にモニター表示される。Ａさん３０は、撮影スイッチ手段を押して、遠方の山の風景を撮影することができる。
【００４２】
このように、Ａさん３０はカメラ付き携帯電話装置１００を折り畳んだまま、自分の顔を撮影するときは、第二のカメラ２９を用いて撮像している自分の顔を第二のモニター手段２７で見て撮影し、遠方の景色を撮影するときは、第一のカメラ２８を選択することにより、同じ第二のモニター手段２７に表示される遠方の景色のモニター画像を見て撮影することができる。
【００４３】
図４は、第一のカメラ２８と第二のカメラ２９を選択して、自分の顔と遠方の景色をそれぞれ撮影し、第一のカメラ用メモリー６１に記憶した自分の顔の画像３０２と、第二のカメラ用メモリー６２に記憶した景色の画像とを合成して合成写真として合成写真用メモリー６３に記憶した後、読み出して表示したときのカメラ付き携帯電話装置１００の外観図である。このように、カメラ付き携帯電話装置１００を折り畳んだまま、遠方の景色とその景色を見ている自分の顔をそれぞれ撮影することができ、撮影後、両方の画像を合成写真として合成することができる。
【００４４】
第一のカメラ２８と第二のカメラ２９の撮影はキー操作部２１７のカメラ切り替えスイッチ５２を用いて、撮影するカメラとして一方だけ、あるいは両方を選択することができるので、先に自分の顔を撮影して、次に遠方の山の風景を撮影し、後で合成することもできるし、自分の顔と遠方の山の風景を同時に撮影して、合成写真とすることもできる。
【００４５】
このように本発明では、閉じた状態で露出している第一の筐体２２と第二の筐体２３のそれぞれの表面に、第一のカメラ２８と第二のカメラ２９を搭載し、カメラ選択手段で、撮影に使用するカメラを選択して撮影することができる。また、第一のカメラ２８で撮影した画像情報と第二のカメラ２９で撮影した画像情報とを合成し、合成写真用メモリー６３に記憶する機能を持たせている。
【００４６】
図５に、本発明のカメラ付き携帯電話装置１００で撮影するときの基本的な制御手順をフローチャートとして示す。まず、カメラ付き携帯電話装置１００を持った使用者（撮影者）が、キー操作部２１７の図示しない電源スイッチをオンにする（ステップ１０１）。第一の筐体の側面のカメラモード開始スイッチ２６を押してカメラモード選択信号を入力し、カメラモードを動作させる（ステップ１０２）。次に、カメラ切り替えスイッチ５２を用いて撮影するカメラを選択する（ステップ１０３）。全体制御手段１８は開閉検出手段２２１から第二の筐体２３が開いているか閉じているかの開閉状態情報を得る（ステップ１０４）。閉じていれば、第二のモニター手段２７に選択したカメラのモニター画像を表示する（ステップ１０５）。第二の筐体２３が開いていれば、キー操作部２１７によりモニター手段を選択する（ステップ１０６）。そして、選択したモニター手段に選択したカメラのモニター画像を表示する（ステップ１０７）。なおステップ１０３で、２つのカメラを選択しているときは、モニター手段の画面を第一の表示領域と第二の表示領域に分割して、第一の表示領域には第一のカメラ２８の画像を、第二の表示領域には第二のカメラ２９の画像を表示する。
【００４７】
撮影スイッチ手段が押されると（ステップ１０８）、撮影した画像を撮影に用いたカメラに対応する、第一のカメラ用メモリー６１、第二のカメラ用メモリー６２、または合成写真用メモリー６３に記憶する（ステップ１１０）。撮影を継続するのであれば（ステップ１１１）、ステップ１０３に戻る。撮影を継続しない、つまり撮影を終了するのであれば、キー操作部２１７からカメラモード終了信号を入力することにより、カメラモードを終了する（ステップ１１２）。なおステップ１０８で、撮影スイッチ手段が押されるのを待っている状態で、５分間などの所定時間が経過したときには、カメラモードの動作を終了して、着信待ち受け状態に戻るようにしている。本発明は、このよう２つのカメラと２つのモニター手段を選択した状態と、第二の筐体２３の開閉状態を組み合わせることにより、使用者がその場に応じた使い方でカメラ撮影を行なえるようにしている。
【００４８】
（実施の形態２）
次に、本発明の第２の実施の形態に係るカメラ付き携帯電話装置について説明する。図６は、本発明の第２の実施の形態に係るカメラ付き携帯電話装置２００を第二の筐体２３を開いた状態で撮影しようとしている状況を示す概念図である。図６では、キャッチボールをしているＡさん３０の姿と、Ｂさん３１の姿を、図示しないＣさんがカメラ付き携帯電話装置２００で、第二の筐体２３を開いて、第一のカメラ２８と第二のカメラ２９で同時撮影をしようとしている。図示しないＣさんは、カメラ付き携帯電話装置２００でカメラモード開始スイッチ２６を押して、カメラモードを動作させ、カメラ付き携帯電話装置２００のカメラ切り替えスイッチ５２で、第一のカメラ２８と第二のカメラ２９の両方を撮影するカメラとして選択する。そして、第一のカメラ２８をＡさん３０に向け、第二のカメラ２９をＢさん３１に向けている。
【００４９】
図７は、第一のモニター手段２５が見えるように描いたカメラ付き携帯電話装置２００の外観図である。図７に示すように、第一のカメラ２８と第二のカメラ２９を直ぐ近くに並べている。そして、第一のモニター手段２５の右半分の第一の表示領域３６２に、Ａさんのモニター画像３０２を、左半分の第二の表示領域３７２に、Ｂさんのモニター画像３１２を表示している。キー操作部２１７の撮影スイッチ手段が押されると、キャッチボールをしているＡさん３０の姿と、Ｂさん３１の姿が合成された写真ができる。このように、例えばピッチャーとキャッチャーの姿を一つの画面に撮影することができるが、これを静止画の撮影だけでなく、動画を撮影することとすれば、ボールを投げるときと受けるときのピッチャーとキャッチャーの動きを一つの画面で同時に対比して見ることができる。
【００５０】
また、第一のカメラ用メモリー６１と第二のカメラ用メモリー６２には、それぞれ第一のカメラ２８で撮影した画像と第二のカメラ２９で撮影した画像が記憶されるので、カメラモード制御手段５０により、それぞれの画像を縮小あるいは拡大したり、メモリー１９からマーカースタンプ用の図形や記号を読み出して、撮影した画像に上書きするマーカースタンプをしてから合成するようにしてもよい。例えば、図８に示すようにピッチャーであるＡさん３０の投球している姿を縮小し、手を振った軌跡を示す曲線を上書きし、キャッチャーであるＢさん３１のキャッチミットの前に、ボールの絵とボールの軌跡を示す線を上書きして加工して、両者を合成するようにしてもよい。そして、左右の分割比率も変えて合成することにより、単に撮影したというだけでない編集・加工した合成画像を作ることができる。
【００５１】
なお、第一の筐体２２と第二の筐体２３を左右方向に開いて、第一のカメラ２８と第二のカメラ２９でモニターしている隣の風景画像がつながるように撮影することにより、パノラマ写真を撮影することができる。
【００５２】
図９に、カメラ付き携帯電話装置２００の第一の筐体２２に対して第二の筐体２３を上方向に開いて第一のカメラ２８と第二のカメラ２９を同時に撮影しようとしている概念図を示す。図９では、公園に立っている銅像４００の前で観光客３０、３１が、カメラ付き携帯電話装置２００を用いて記念写真を撮影しようとしている状態を示している。
【００５３】
図９の台の上に設置されている銅像４００は、銅像４００の顔の部分が観光客３１の顔の高さよりも高い。普通のカメラでは、カメラを観光客３１の顔に向けると、銅像４００の顔が撮影範囲に入らず、銅４００の顔にカメラを向けると観光客３１の顔が撮影範囲に入らない。銅像４００の顔と観光客３１の顔を撮影範囲に入れるには、遠くから撮影しなければならず、両者の顔の表情がわからなくなってしまう。しかし、本発明のカメラ付き携帯電話装置２００では、図９に矢印で示したように、第二のカメラ２９が銅像４００の顔のあたりを撮影し、第一のカメラ２８が観光客３１の顔のあたりを撮影する。すると図１０のように、それぞれの画像４１０、４２０が一つの画像４３０として第一のモニター手段２５に表示される。図１１に、第１のモニター手段２５に画像４３０を表示しているときのカメラ付き携帯電話装置２００の外観図を示す。この状態で、キ―操作部２１７の撮影スイッチ手段を押すことにより、銅像４００の顔と観光客３１の顔を一つの写真として撮影することができる。
【００５４】
また、第一のカメラ２８のある第一の筐体２２に対して第二のカメラ２９のある第二の筐体２３を大きく曲げ、両者の折り曲げ角度を鋭角にして、一つの被写体に対して２つのカメラで同時に異なった角度から撮影することができるので、二つのカメラで撮影したディジタル画像情報を画像処理して立体写真を得ることも可能である。
【００５５】
以上説明したように、本発明のカメラ付き携帯電話装置２００において筐体を開いて二つのカメラ２８、２９を異なったアングルで撮影することにより、従来の一つのカメラだけでは撮影できなかった、互いに離れた複数の被写体、あるいは隣接した複数の被写体を同時に撮影することがでる。そして、それらを合成写真とすることもできる。隣接した２つの画像がつながるようにして同時撮影すればパノラマ写真を撮影することができる。また、一つの被写体を異なった角度から二つのカメラ２８、２９で同時に撮影して立体写真用のディジタル画像情報を得ることもできる。
【００５６】
（実施の形態３）
本発明の第３の実施の形態に係るカメラ付き携帯電話装置３００を説明する。本発明の第３の形態に係るカメラ付き携帯電話装置３００では、二つのカメラと二つのモニター手段を任意に組み合わせて撮影することができるようにしたことにより、被写体を高いアングルから撮影したり、低いアングルから撮影することを容易にしている。
【００５７】
図１２は、子犬３３をモニター手段を見ながら撮影しようとてしている状態を示す概念図である。Ａさん３０は、カメラ付き携帯電話装置３００の第二の筐体２３を手で持ち、第一の筐体２２の第一のカメラ２８を子犬３３に向けている。Ａさん３０は、第二の筐体２３の第二のモニター手段２７に表示される子犬のモニター画像を見て、子犬３３の顔を見上げるアングルで撮影することができる。
【００５８】
Ｂさん３１は、普通に立った状態の斜め上のアングルから子犬３３を撮影しようとしている。既に述べたように、二つの筐体を折り畳んだまま、第一の筐体２２の第一のカメラ２８を子犬３３に向けて、子犬のモニター画像を第二の筐体２３の第二のモニター手段２７で見て撮影することができる。
【００５９】
Ｃさん３２は、前に人がいるので、つま先立ちして、カメラ付き携帯電話装置３００を頭上に高く掲げたアングルから子犬３３を撮影しようとしている。Ｃさん３２は、第一の筐体２２を手に持って第一のカメラ２８を子犬３３に向け、第二の筐体２３を開き、第二の筐体２３の内側の第一のモニター手段２５に表示した子犬のモニター画像を見て撮影することができる。
【００６０】
図１３は、カメラ付き携帯電話装置３００で自分を撮影する状況を示す概念図である。なお、撮影にはタイマー手段かリモートコントロール手段を用いて行なう。第二の筐体２３を第一の筐体２２に対して任意の角度だけ開き、第二の筐体２３の第二のカメラ２９を撮影するカメラとして選択し、第二のモニター手段２７でモニター表示させる。床４０１に置いたアングル、机４０２の上に置いたアングル、戸棚４０３の上に置いたアングルで、第二の筐体２３の外側の第二のモニター手段２７のモニター画像を見て、自分の顔を撮影することが可能である。
【００６１】
【発明の効果】
以上説明したように、本発明によれば、電子カメラあるいはカメラ付き携帯電話装置を手で持った状態で裏返すことなく、使用者の顔側の画像と使用者の顔と反対側の画像を選択的に撮影することができる。また、使用者の顔側の画像と使用者の顔と反対側の画像を同時に撮影することもできる。
【００６２】
また、電子カメラあるいはカメラ付き携帯電話装置を手で持った状態で撮影した携帯電話装置を持っている使用者の顔側の画像と使用者の顔と反対側の画像を合成画像として撮影することができる。
【００６３】
また、筐体を開いて二つのカメラで異なったアングルの撮影を同時にすることにより、従来の一つのカメラだけでは撮影できなかった、互いに離れた複数の被写体、あるいは隣接した複数の被写体の同時撮影をすることがでる。第一のカメラと第二のカメラで撮影した画像が連続するように筐体を開いて撮影すれば、パノラマ画像を撮影することもできる。
【００６４】
更に、モニター手段の一つの画面を第一の表示領域と第二の表示領域に分割して第一のカメラで撮影した画像の全部又は一部を第一の表示領域に表示し、第二のカメラで撮影した画像の全部又は一部を第二の表示領域に表示して撮影することができる。
【００６５】
また、電子カメラあるいはカメラ付き携帯電話装置を手で持った状態で、電子カメラあるいはカメラ付き携帯電話装置を裏返すことなく、使用者の顔側の動画像と使用者の顔と反対側の動画像を撮影することができる。
【００６６】
そして、二つのカメラ、二つのモニター手段を組み合わせることにより、高いアングルから低いアングルまで、モニター手段に表示させたモニター画像を見て撮影することができるという効果がある。
【図面の簡単な説明】
【図１】本発明の第１の形態のカメラ付き携帯電話装置の概略断面図
【図２】本発明の第１の形態のカメラ付き携帯電話装置の概略ブロック図
【図３】本発明の第１の形態のカメラ付き携帯電話装置の使用状態を示す概念図
【図４】本発明の第１の形態のカメラ付き携帯電話装置の外観図
【図５】本発明の第１の形態のカメラ付き携帯電話装置の制御動作のフローチャート
【図６】本発明の第２の形態のカメラ付き携帯電話装置の使用状態を示す概念図
【図７】本発明の第２の形態のカメラ付き携帯電話装置の外観図
【図８】本発明の第２の形態のカメラ付き携帯電話装置の外観図
【図９】本発明の第２の形態のカメラ付き携帯電話装置の使用状態を示す概念図
【図１０】本発明の第２の形態のカメラ付き携帯電話装置の画像を合成する内容を示した概念図
【図１１】本発明の第２の形態のカメラ付き携帯電話装置の外観図
【図１２】本発明の第３の形態のカメラ付き携帯電話装置の使用状態を示す概念図
【図１３】本発明の第３の形態のカメラ付き携帯電話装置の使用状態を示す概念図
【図１４】従来のカメラ付き携帯電話装置の外観図
【図１５】従来のカメラ付き携帯電話装置の外観図
【符号の説明】
３  接続用フレキシブル基板
４  ドライバー回路
９  バックライト
１８  全体制御手段
１９  メモリー
２１  ヒンジ
２２  第一の筐体
２３  第二の筐体
２５  第一のモニター手段
２７  第二のモニター手段
２８  第一のカメラ
２９  第二のカメラ
４１  メモリー部
４２  表示切替部
２１５  本体基板
２１７  キー操作部
２２０  無線部
２２１  開閉検出手段
２２３  レシーバー
２２４  マイク
【図１】
2004180107.tif 000003
【図２】
2004180107.tif 000004
【図３】
2004180107.tif 000005
【図４】
2004180107.tif 000006
【図５】
2004180107.tif 000007
【図６】
2004180107.tif 000008
【図７】
2004180107.tif 000009
【図８】
2004180107.tif 000010
【図９】
2004180107.tif 000011
【図１０】
2004180107.tif 000012
【図１１】
2004180107.tif 000013
【図１２】
2004180107.tif 000014
【図１３】
2004180107.tif 000015
【図１４】
2004180107.tif 000016
【図１５】
2004180107.tif 000017